(57)【特許請求の範囲】
【請求項１】
無線接続システムにおいて物理放送チャネル（ＰＢＣＨ）信号を受信する方法であって、
同期信号を受信するステップと、
前記同期信号に基づいて物理セル識別子（ＰＣＩＤ）を取得するステップと、
前記ＰＣＩＤに基づいて、ＰＢＣＨ領域を示すサブキャリアインデックスを算出するステップと、
サブフレームで前記サブキャリアインデックスが示すサブキャリアから始めてブラインドデコーディングを行って前記ＰＢＣＨ領域を検出するステップと、
前記ＰＢＣＨ領域を通じて放送される前記ＰＢＣＨ信号を受信するステップと、
を含む、ＰＢＣＨ信号受信方法。
【請求項２】
前記サブキャリアインデックスは、前記ＰＣＩＤ、前記サブフレームに割り当てられる下りリンクリソースブロックの個数、及び前記下りリンクリソースブロックに含まれるサブキャリアの個数を用いて計算される、請求項１に記載のＰＢＣＨ信号受信方法。
【請求項３】
前記ＰＢＣＨ領域は、前記サブフレームの最初の直交周波数分割多重（ＯＦＤＭ）シンボルから所定のＯＦＤＭシンボルまで割り当てられる、請求項２に記載のＰＢＣＨ信号受信方法。
【請求項４】
前記ＰＢＣＨ領域は、前記サブフレームで周波数軸上において分散形態で割り当てられる、請求項３に記載のＰＢＣＨ信号受信方法。
【請求項５】
無線接続システムの基地局で物理放送チャネル（ＰＢＣＨ）信号を放送する方法であって、
同期信号を放送するステップと、
前記基地局の物理セル識別子（ＰＣＩＤ）に基づいてサブフレームにＰＢＣＨ領域を割り当てるステップと、
前記サブフレームで前記ＰＢＣＨ領域を通じて前記ＰＢＣＨ信号を放送するステップと、
を含む、ＰＢＣＨ信号放送方法。
【請求項６】
前記ＰＢＣＨ領域は、前記ＰＣＩＤ、前記サブフレームに割り当てられる下りリンクリソースブロックの個数、及び前記下りリンクリソースブロックに含まれるサブキャリアの個数に基づいて割り当てられる、請求項５に記載のＰＢＣＨ信号放送方法。
【請求項７】
前記ＰＢＣＨ領域は、前記サブフレームの最初の直交周波数分割多重（ＯＦＤＭ）シンボルから所定のＯＦＤＭシンボルまで割り当てられる、請求項６に記載のＰＢＣＨ信号放送方法。
【請求項８】
前記ＰＢＣＨ領域は、前記サブフレームで周波数軸上において分散形態で割り当てられる、請求項７に記載のＰＢＣＨ信号放送方法。
【請求項９】
無線接続システムにおいて物理放送チャネル（ＰＢＣＨ）信号を受信する端末であって、
前記端末は、
受信器と、
前記ＰＢＣＨ信号を検出するためのプロセッサと、
を備え、
前記プロセッサは、
前記受信器を制御して同期信号を受信し、
前記同期信号に基づいて物理セル識別子（ＰＣＩＤ）を取得し、
前記ＰＣＩＤに基づいて、ＰＢＣＨ領域を示すサブキャリアインデックスを算出し、
サブフレームで前記サブキャリアインデックスが示すサブキャリアから始めてブラインドデコーディングを行って前記ＰＢＣＨ領域を検出し、
前記受信器を制御して、前記ＰＢＣＨ領域を通じて放送される前記ＰＢＣＨ信号を受信するように構成される、端末。
【請求項１０】
前記サブキャリアインデックスは、前記ＰＣＩＤ、前記サブフレームに割り当てられる下りリンクリソースブロックの個数、及び前記下りリンクリソースブロックに含まれるサブキャリアの個数を用いて計算される、請求項９に記載の端末。
【請求項１１】
前記ＰＢＣＨ領域は、前記サブフレームの最初の直交周波数分割多重（ＯＦＤＭ）シンボルから所定のＯＦＤＭシンボルまで割り当てられる、請求項１０に記載の端末。
【請求項１２】
前記ＰＢＣＨ領域は、前記サブフレームで周波数軸上において分散形態で割り当てられる、請求項１１に記載の端末。
【請求項１３】
無線接続システムにおいて物理放送チャネル（ＰＢＣＨ）信号を放送する基地局であって、
前記基地局は、
送信器と、
ＰＢＣＨを割り当て、前記ＰＢＣＨ信号を放送するためのプロセッサと、
を備え、
前記プロセッサは、
前記送信器を制御して同期信号を放送し、
前記基地局の物理セル識別子（ＰＣＩＤ）に基づいてサブフレームにＰＢＣＨ領域を割り当て、
前記送信器を制御して、前記サブフレームで前記ＰＢＣＨ領域を通じて前記ＰＢＣＨ信号を放送するように構成される、基地局。
【請求項１４】
前記ＰＢＣＨ領域は、前記ＰＣＩＤ、前記サブフレームに割り当てられる下りリンクリソースブロックの個数、及び前記下りリンクリソースブロックに含まれるサブキャリアの個数に基づいて割り当てられる、請求項１３に記載の基地局。
【請求項１５】
前記ＰＢＣＨ領域は、前記サブフレームの最初の直交周波数分割多重（ＯＦＤＭ）シンボルから所定のＯＦＤＭシンボルまで割り当てられる、請求項１４に記載の基地局。
【請求項１６】
前記ＰＢＣＨ領域は、前記サブフレームで周波数軸上において分散形態で割り当てられる、請求項１５に記載の基地局。
【発明の詳細な説明】
【技術分野】
【０００１】
本発明は、無線接続システムに関し、新しい放送チャネルを割り当てる方法、及び新しい共用制御チャネル領域を割り当てる方法に関する。また、放送チャネル信号及び／又は制御チャネル信号を送受信する方法及びこれを支援する装置に関する。
【背景技術】
【０００２】
無線接続システムが音声やデータなどのような種々の通信サービスを提供するために広範囲に展開されている。一般に、無線接続システムは、可用のシステムリソース（帯域幅、送信電力など）を共有して多重ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、新しい放送チャネル及び制御チャネルを構成する方法を提供することにある。
【０００４】
本発明の他の目的は、超高周波帯域を使用するスモールセル環境で物理下りリンク共有チャネル領域に新しい放送チャネル及び制御チャネルを構成する方法を提供することにある。
【０００５】
本発明の更に他の目的は、セル間干渉を減らし得るように放送チャネル及び制御チャネルを割り当てる方法を提供することにある。
【０００６】
本発明の更に他の目的は、このような放送チャネル及び／又は制御チャネル領域を端末が容易に取得することができる方法を提供することにある。
【０００７】
本発明の更に他の目的は、これらの方法を支援する装置を提供することにある。
【０００８】
本発明で達成しようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
本発明は、無線接続システムにおいて新しい放送チャネルを割り当てる方法、及び新しい共用制御チャネル領域を割り当てる方法を提供する。また、放送チャネル信号及び／又は制御チャネル信号を送受信する方法及びこれを支援する装置を提供する。
【００１０】
本発明の一様態であり、無線接続システムにおいて物理放送チャネル（ＰＢＣＨ）信号を受信する方法は、同期信号を受信するステップと、同期信号に基づいて物理セル識別子（ＰＣＩＤ）を取得するステップと、ＰＣＩＤに基づいて、ＰＢＣＨ領域を示すサブキャリアインデックスを算出するステップと、サブフレームでサブキャリアインデックスが示すサブキャリアから始めてブラインドデコーディングを行ってＰＢＣＨ領域を検出するステップと、ＰＢＣＨ領域を通じて放送されるＰＢＣＨ信号を受信するステップとを含むことができる。
【００１１】
本発明の他の様態であり、無線接続システムにおいて物理放送チャネル（ＰＢＣＨ）信号を受信する端末は、受信器、及びＰＢＣＨ信号を検出するためのプロセッサを備えることができる。ここで、プロセッサは、受信器を制御して同期信号を受信し、同期信号に基づいて物理セル識別子（ＰＣＩＤ）を取得し、ＰＣＩＤに基づいて、ＰＢＣＨ領域を示すサブキャリアインデックスを算出し、サブフレームでサブキャリアインデックスが示すサブキャリアからブラインドデコーディングを行ってＰＢＣＨ領域を検出し、ＰＢＣＨ領域を通じて放送されるＰＢＣＨ信号を、受信器を制御して受信するように構成されてもよい。
【００１２】
ここで、サブキャリアインデックスは、ＰＣＩＤ、サブフレームに割り当てられる下りリンクリソースブロックの個数、及び下りリンクリソースブロックに含まれるサブキャリアの個数を用いて計算されてもよい。
【００１３】
また、ＰＢＣＨ領域は、サブフレームの最初の直交周波数分割多重（ＯＦＤＭ）シンボルから所定のＯＦＤＭシンボルまで割り当てられてもよい。
【００１４】
ここで、ＰＢＣＨ領域は、サブフレームで周波数軸上において分散形態で割り当てられてもよい。
【００１５】
本発明のさらに他の様態であり、無線接続システムの基地局で物理放送チャネル（ＰＢＣＨ）信号を放送する方法は、同期信号を放送するステップと、基地局の物理セル識別子（ＰＣＩＤ）に基づいてサブフレームにＰＢＣＨ領域を割り当てるステップと、サブフレームでＰＢＣＨ領域を通じてＰＢＣＨ信号を放送するステップとを含むことができる。
【００１６】
本発明のさらに他の様態であり、無線接続システムにおいて物理放送チャネル（ＰＢＣＨ）信号を放送する基地局は、送信器、及びＰＢＣＨを割り当てＰＢＣＨ信号を放送するためのプロセッサを備えることができる。ここで、プロセッサは、送信器を制御して同期信号を放送し、基地局の物理セル識別子（ＰＣＩＤ）に基づいてサブフレームにＰＢＣＨ領域を割り当て、送信器を制御して、サブフレームでＰＢＣＨ領域を通じてＰＢＣＨ信号を放送するように構成されてもよい。
【００１７】
ここで、ＰＢＣＨ領域は、ＰＣＩＤ、サブフレームに割り当てられる下りリンクリソースブロックの個数、及び下りリンクリソースブロックに含まれるサブキャリアの個数に基づいて割り当てられてもよい。
【００１８】
また、ＰＢＣＨ領域は、サブフレームの最初の直交周波数分割多重（ＯＦＤＭ）シンボルから所定のＯＦＤＭシンボルまで割り当てられてもよい。
【００１９】
ここで、ＰＢＣＨ領域は、サブフレームで周波数軸上において分散形態で割り当てられてもよい。
【００２０】
ここで、一つ以上の放送信号は、前記同期信号と共に送信されてもよい。
【００２１】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明から導出され、理解されるであろう。
【発明の効果】
【００２２】
本発明の実施例によれば、次のような効果が得られる。
【００２３】
第一に、本発明の実施例によれば、新しい放送チャネルを構成する方法及び放送チャネル信号を放送する新しい方法を提供することができる。
【００２４】
第二に、超高周波帯域を使用するスモールセル環境で新しい放送チャネル及び新しい放送チャネル送信方法を用いることによって、スモールセル環境に適した放送チャネル信号を送信することができる。
【００２５】
第三に、新しく割り当てた放送チャネルを用いることによって、放送チャネル信号送信によるセル間干渉を減らすことができる。例えば、物理セル識別子（ＰＣＩＤ）と連動してＰＢＣＨ領域を割り当てることによって、セル別にＰＢＣＨ割り当て領域が変更され、ＰＢＣＨによるセル間干渉を減らすことができる。
【００２６】
また、端末がこのような放送チャネル及び／又は制御チャネル領域をＰＣＩＤを用いて容易に検出することができる。
【００２７】
本発明の実施例から得られる効果は、以上で言及した効果に制限されず、言及していない他の効果は、以下の本発明の実施例に関する記載から、本発明の属する技術の分野における通常の知識を有する者にとって明確に導出され理解されるであろう。すなわち、本発明を実施するに上で意図していなかった効果も、本発明の実施例から、当該技術の分野における通常の知識を有する者によって導出可能である。
【図面の簡単な説明】
【００２８】
本発明に関する理解を助けるために詳細な説明の一部として含まれる添付の図面は、本発明に関する様々な実施例を提供する。また、添付の図面は、詳細な説明と共に本発明の実施の形態を説明するために用いられる。
【図１】図１は、本発明の実施例で使用できる物理チャネル及びこれらを用いた信号送信方法を説明するための図である。
【図２】図２は、本発明の実施例で用いられる無線フレームの構造を示す図である。
【図３】図３は、本発明の実施例で使用できる下りリンクスロットに対するリソースグリッド（ｒｅｓｏｕｒｃｅ  ｇｒｉｄ）を例示する図である。
【図４】図４は、本発明の実施例で使用できる上りリンクサブフレームの構造を示す図である。
【図５】図５は、本発明の実施例で使用できる下りサブフレームの構造を示す図である。
【図６】図６は、本発明の実施例で用いられるクロスキャリアスケジューリングによるＬＴＥ−Ａシステムのサブフレーム構造を示す図である。
【図７】図７は、ＬＴＥ／ＬＴＥ−Ａシステムで用いられる初期接続過程の一例を示す図である。
【図８】図８は、放送チャネル信号を送信する方法の一例を示す図である。
【図９】図９は、制御チャネル及び／又は放送チャネルが割り当てられたフレーム構造を示す図である。
【図１０】図１０は、一つのフレーム構造内でＰＢＣＨなどが割り当てられるサブフレームを示す図である。
【図１１】図１１は、ＰＢＣＨ信号を送信する方法の一つを示す図である。
【図１２】図１２は、ＰＢＣＨ検出方法の一例を示す図である。
【図１３】図１３は、図１乃至図１２で説明した方法を具現できる装置を示す図である。
【発明を実施するための形態】
【００２９】
以下に詳しく説明する本発明の実施例は、新しい放送チャネルを割り当てる方法及び新しい共用制御チャネル領域を割り当てる方法を提供する。また、放送チャネル信号及び／又は制御チャネル信号を送受信する方法及びこれを支援する装置を提供する。
【００３０】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００３１】
図面に関する説明において、本発明の要旨を曖昧にさせうる手順又は段階などは記述を省略し、当業者のレベルで理解できるような手順又は段階も記述を省略した。
【００３２】
本明細書で、本発明の実施例は、基地局と移動局間のデータ送受信関係を中心に説明した。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００３３】
すなわち、基地局を含む複数のネットワークノード（ｎｅｔｗｏｒｋ  ｎｏｄｅ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００３４】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００３５】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００３６】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３及び３ＧＰＰ  ＴＳ  ３６．３２１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００３７】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００３８】
また、本発明の実施例で使われる特定用語は、本発明の理解を助けるために提供されたもので、このような特定用語の使用は、本発明の技術的思想を逸脱しない範囲で他の形態に変更してもよい。
【００３９】
例えば、本発明の実施例でいう‘同期信号’は、同期シーケンス、訓練シンボル又は同期プリアンブルなどの用語と同じ意味で使われてもよい。
【００４０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４１】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００４２】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００４３】
１．  ３ＧＰＰ  ＬＴＥ／ＬＴＥ＿Ａシステム
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００４４】
１．１  システム一般
図１は、本発明の実施例で使用できる物理チャネル及びこれらを用いた信号送信方法を説明するための図である。
【００４５】
電源が消えた状態で電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００４６】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内の放送情報を取得することができる。
【００４７】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りチャネル状態を確認することができる。
【００４８】
初期セル探索を終えた端末は、Ｓ１２段階で、物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下り制御チャネル情報に基づく物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００４９】
その後、端末は、基地局に接続を完了するために、段階Ｓ１３乃至段階Ｓ１６のようなランダムアクセス手順（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を用いてプリアンブル（ｐｒｅａｍｂｌｅ）を送信し（Ｓ１３）、物理下り制御チャネル及びこれに対応する物理下り共有チャネルを用いてプリアンブルに対する応答メッセージを受信することができる（Ｓ１４）。競合ベースのランダムアクセスでは、端末は、さらなる物理ランダムアクセスチャネル信号の送信（Ｓ１５）、及び物理下り制御チャネル信号及びこれに対応する物理下り共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５０】
上述したような手順を行った端末は、その後、一般的な上り／下り信号送信手順として、物理下り制御チャネル信号及び／又は物理下り共有チャネル信号の受信（Ｓ１７）及び物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上り制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５１】
端末が基地局に送信する制御情報を総称して、上り制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５２】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要請／指示に応じてＰＵＳＣＨを介してＵＣＩを非周期的に送信してもよい。
【００５３】
図２には、本発明の実施例で用いられる無線フレームの構造を示す。
【００５４】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕｐｌｅｘ）ＦＤＤシステムの両方に適用することができる。
【００５５】
１無線フレーム（ｒａｄｉｏ  ｆｒａｍｅ）は、
【００５６】
【化１】
0006320511.tif 000002
【００５７】
の長さを有し、
【００５８】
【化２】
0006320511.tif 000003
【００５９】
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するために掛かる時間を送信時間区間（ＴＴＩ：ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００６０】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使用するので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割り当て単位であって、１スロットで複数の連続した副搬送波（ｓｕｂｃａｒｒｉｅｒ）を含む。
【００６１】
全二重ＦＤＤシステムでは、各１０ｍｓ区間で１０個のサブフレームを下り送信と上り送信のために同時に利用することができる。このとき、上り送信と下り送信は周波数領域で区別される。一方、半二重ＦＤＤシステムでは、端末は送信と受信を同時に行うことができない。
【００６２】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００６３】
図２（ｂ）には、タイプ２フレーム構造（ｆｒａｍｅ  ｓｔｒｕｃｔｕｒｅ  ｔｙｐｅ  ２）を示す。タイプ２フレーム構造はＴＤＤシステムに適用される。１無線フレームは、
【００６４】
【化３】
0006320511.tif 000004
【００６５】
の長さを有し、
【００６６】
【化４】
0006320511.tif 000005
【００６７】
長さを有する２個のハーフフレーム（ｈａｌｆ−ｆｒａｍｅ）で構成される。各ハーフフレームは、
【００６８】
【化５】
0006320511.tif 000006
【００６９】
の長さを有する５個のサブフレームで構成される。ｉ番目のサブフレームは、２ｉ及び２ｉ＋１に該当する各
【００７０】
【化６】
0006320511.tif 000007
【００７１】
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００７２】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を合わせるために用いられる。保護区間は、上りリンクと下りリンクの間に下りリンク信号の多重経路遅延によって上りリンクで生じる干渉を除去するための区間である。
【００７３】
下記の表１に、特別フレームの構成（ＤｗＰＴＳ／ＧＰ／ＵｐＰＴＳの長さ）を示す。
【００７４】
【表１】
0006320511.tif 000008
【００７５】
図３は、本発明の実施例で使用できる下りリンクスロットのリソースグリッド（ｒｅｓｏｕｒｃｅ  ｇｒｉｄ）を例示する図である。
【００７６】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００７７】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に依存する。上りリンクスロットの構造は、下りリンクスロットの構造と同一であってもよい。
【００７８】
図４は、本発明の実施例で使用できる上りリンクサブフレームの構造を示す。
【００７９】
図４を参照すると、上りリンクサブフレームは、周波数領域で制御領域とデータ領域とに区別される。制御領域には、上り制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信することがない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）するという。
【００８０】
図５には、本発明の実施例で使用できる下りサブフレームの構造を示す。
【００８１】
図５を参照すると、サブフレームにおける第一のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００８２】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下り制御情報（ＤＣＩ：ｄｏｗｎｌｉｎｋ  ｃｏｎｔｒｏｌ  ｉｎｆｏｒｍａｔｉｏｎ）という。下り制御情報は、上りリソース割り当て情報、下りリソース割り当て情報、又は任意の端末グループに対する上り送信（Ｔｘ）電力制御命令を含む。
【００８３】
２．  キャリア併合（ＣＡ：Ｃａｒｒｉｅｒ  Ａｇｇｒｅｇａｔｉｏｎ）環境
２．１  ＣＡ一般
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使用する多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（例、Ｒｅｌ−１０又はＲｅｌ−１１）（以下、ＬＴＥ−Ａシステム）では、ＬＴＥシステムよりも広帯域のシステム帯域幅を支援するために、１つ以上のコンポーネントキャリアを結合して使用するキャリア併合（ＣＡ：Ｃａｒｒｉｅｒ  Ａｇｇｒｅｇａｔｉｏｎ）のような方法を使用することができる。キャリア併合は、搬送波集成、搬送波整合、マルチコンポーネントキャリア環境（Ｍｕｌｔｉ−ＣＣ）又はマルチキャリア環境に言い換えてもよい。
【００８４】
本発明でいうマルチキャリアは、キャリアの併合（又は、搬送波集成）を意味し、このとき、キャリアの併合は、隣接した（ｃｏｎｔｉｇｕｏｕｓ）キャリア間の併合だけでなく、非隣接した（ｎｏｎ−ｃｏｎｔｉｇｕｏｕｓ）キャリア間の併合も意味する。また、下りリンクと上りリンク間に集成されるコンポーネントキャリアの数が異なるように設定されてもよい。下りリンクコンポーネントキャリア（以下、「ＤＬ  ＣＣ」という。）数と上りリンクコンポーネントキャリア（以下、「ＵＬ  ＣＣ」という。）数とが一致する場合を対称的（ｓｙｍｍｅｔｒｉｃ）併合といい、それらの数が異なる場合を非対称的（ａｓｙｍｍｅｔｒｉｃ）併合という。このようなキャリア併合は、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語と同じ意味で使われてもよい。
【００８５】
ＬＴＥ−Ａシステムでは、２つ以上のコンポーネントキャリアが結合して構成されるキャリア併合は、１００ＭＨｚ帯域幅まで支援することを目標とする。目標帯域よりも小さい帯域幅を有する１個以上のキャリアを結合するとき、結合するキャリアの帯域幅は、既存のＩＭＴシステムとの互換性（ｂａｃｋｗａｒｄ  ｃｏｍｐａｔｉｂｉｌｉｔｙ）維持のために、既存システムで使用する帯域幅に制限することができる。
【００８６】
例えば、既存の３ＧＰＰ  ＬＴＥシステムでは｛１．４、３、５、１０、１５、２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために、上記の帯域幅のみを用いて２０ＭＨｚよりも大きい帯域幅を支援するようにすることができる。また、本発明で用いられるキャリア併合システムは、既存システムで用いる帯域幅と無関係に、新しい帯域幅を定義してキャリア併合を支援するようにしてもよい。
【００８７】
また、上述のようなキャリア併合は、イントラ−バンドＣＡ（Ｉｎｔｒａ−ｂａｎｄ  ＣＡ）及びインター−バンドＣＡ（Ｉｎｔｅｒ−ｂａｎｄ  ＣＡ）とに区別できる。イントラ−バンドキャリア併合とは、複数のＤＬ  ＣＣ及び／又はＵＬ  ＣＣが周波数上で隣接したり近接して位置することを意味する。換言すれば、ＤＬ  ＣＣ及び／又はＵＬ  ＣＣのキャリア周波数が同一のバンド内に位置することを意味できる。一方、周波数領域で遠く離れている環境をインター−バンドＣＡ（Ｉｎｔｅｒ−Ｂａｎｄ  ＣＡ）と呼ぶことができる。換言すれば、複数のＤＬ  ＣＣ及び／又はＵＬ  ＣＣのキャリア周波数が互いに異なるバンドに位置することを意味できる。このような場合、端末は、キャリア併合環境での通信を行うために複数のＲＦ（ｒａｄｉｏ  ｆｒｅｑｕｅｎｃｙ）端を使用することもできる。
【００８８】
ＬＴＥ−Ａシステムは、無線リソースを管理するためにセル（ｃｅｌｌ）の概念を用いる。上述したキャリア併合環境は、多重セル（ｍｕｌｔｉｐｌｅ  ｃｅｌｌｓ）環境と呼ぶことができる。セルは、下りリソース（ＤＬ  ＣＣ）と上りリソース（ＵＬ  ＣＣ）との一対の組合せと定義されるが、上りリソースは必須要素ではない。そのため、セルは、下りリソース単独で構成されてもよく、下りリソースと上りリソースとで構成されてもよい。
【００８９】
例えば、特定端末が１つの設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができるが、特定端末が２個以上の設定されたサービングセルを有する場合には、セルの数だけのＤＬ  ＣＣを有し、ＵＬ  ＣＣの数は該ＤＬ  ＣＣと等しくてもよく小さくてもよい。又は、逆に、ＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリア併合環境も支援可能である。
【００９０】
また、キャリア併合（ＣＡ）は、それぞれキャリア周波数（セルの中心周波数）が互いに異なる２つ以上のセルの併合と理解されてもよい。ここでいう「セル（Ｃｅｌｌ）」は、一般的に使われる基地局がカバーする地理的領域としての「セル」とは区別しなければならない。以下、上述したイントラ−バンドキャリア併合をイントラ−バンド多重セルと称し、インター−バンドキャリア併合をインター−バンド多重セルと称する。
【００９１】
ＬＴＥ−Ａシステムで使われるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルは、サービングセル（Ｓｅｒｖｉｎｇ  Ｃｅｌｌ）として用いることができる。ＲＲＣ＿ＣＯＮＮＥＣＴＥＤ状態にあるが、キャリア併合が設定されていないか、キャリア併合を支援しない端末の場合、Ｐセルのみで構成されたサービングセルが１つ存在する。一方、ＲＲＣ＿ＣＯＮＮＥＣＴＥＤ状態にあると共にキャリア併合が設定された端末の場合、１つ以上のサービングセルが存在でき、全体サービングセルにはＰセルと１つ以上のＳセルが含まれる。
【００９２】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又は、セルインデックス）を有するセルがＰセルとなる。
【００９３】
Ｐセルは、プライマリ周波数（又は、ｐｒｉｍａｒｙ  ＣＣ）上で動作するセルを意味する。端末が初期連結設定（ｉｎｉｔｉａｌ  ｃｏｎｎｅｃｔｉｏｎ  ｅｓｔａｂｌｉｓｈｍｅｎｔ）仮定を行ったり連結再−設定過程行ったりするために用いられることもあり、ハンドオーバー過程で指示されたセルを意味することもある。また、Ｐセルは、キャリア併合環境で設定されたサービングセルのうち、制御関連通信の中心となるセルを意味する。すなわち、端末は、自身のＰセルでのみＰＵＣＣＨの割り当てを受けて送信することができ、システム情報を取得したりモニタリング手順を変更するためにＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境を支援する端末に対し、移動性制御情報（ｍｏｂｉｌｉｔｙ  Ｃｏｎｔｒｏｌ  Ｉｎｆｏ）を含む上位層のＲＲＣ連結再設定（ＲＲＣ  Ｃｏｎｎｅｃｔｉｏｎ  Ｒｅｃｏｎｆｉｇｕｔａｉｏｎ）メッセージを用いてハンドオーバー手順のためにＰセルのみを変更することもできる。
【００９４】
Ｓセルは、セカンダリ周波数（又は、Ｓｅｃｏｎｄａｒｙ  ＣＣ）上で動作するセルを意味することができる。特定端末にＰセルは１つのみ割り当てられ、Ｓセルは１つ以上割り当てられうる。Ｓセルは、ＲＲＣ連結設定がなされた後に構成可能であり、さらなる無線リソースを提供するために用いることができる。キャリア併合環境で設定されたサービングセルのうち、Ｐセル以外のセル、すなわち、ＳセルにはＰＵＣＣＨが存在しない。
【００９５】
Ｅ−ＵＴＲＡＮは、Ｓセルを、キャリア併合環境を支援する端末に追加する際、ＲＲＣ＿ＣＯＮＮＥＣＴＥＤ状態にある関連したセルの動作に関する全てのシステム情報を、特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ連結再設定（ＲＲＣ  Ｃｏｎｎｅｃｔｉｏｎ  Ｒｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）を行うことができる。
【００９６】
初期保安活性化過程が始まった後、Ｅ−ＵＴＲＡＮは、連結設定過程で初期に構成されるＰセルに加えて、１つ以上のＳセルを含むネットワークを構成することができる。キャリア併合環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【００９７】
２．２  クロスキャリアスケジューリング（Ｃｒｏｓｓ  Ｃａｒｒｉｅｒ  Ｓｃｈｅｄｕｌｉｎｇ）
キャリア併合システムでは、キャリア（又は、搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法の２つがある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【００９８】
自己スケジューリングは、ＰＤＣＣＨ（ＤＬ  Ｇｒａｎｔ）とＰＤＳＣＨが同一のＤＬ  ＣＣで送信されたり、ＤＬ  ＣＣで送信されたＰＤＣＣＨ（ＵＬ  Ｇｒａｎｔ）に基づいて送信されるＰＵＳＣＨが、ＵＬグラント（ＵＬ  Ｇｒａｎｔ）を受信したＤＬ  ＣＣとリンクされているＵＬ  ＣＣで送信されることを意味する。
【００９９】
クロスキャリアスケジューリングは、ＰＤＣＣＨ（ＤＬ  Ｇｒａｎｔ）とＰＤＳＣＨがそれぞれ異なるＤＬ  ＣＣで送信されたり、ＤＬ  ＣＣで送信されたＰＤＣＣＨ（ＵＬ  Ｇｒａｎｔ）に基づいて送信されるＰＵＳＣＨが、ＵＬグラントを受信したＤＬ  ＣＣとリンクされているＵＬ  ＣＣではなく他のＵＬ  ＣＣで送信されることを意味する。
【０１００】
クロスキャリアスケジューリングは、端末特定（ＵＥ−ｓｐｅｃｉｆｉｃ）に活性化又は非活性化することができ、これは、上位層シグナリング（例えば、ＲＲＣシグナリング）によって半静的（ｓｅｍｉ−ｓｔａｔｉｃ）に各端末別に知らせることができる。
【０１０１】
クロスキャリアスケジューリングが活性化された場合、ＰＤＣＣＨに、当該ＰＤＣＣＨが指示するＰＤＳＣＨ／ＰＵＳＣＨがどのＤＬ／ＵＬ  ＣＣで送信されるかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアのうちの一つに割り当てることができる。すなわち、ＤＬ  ＣＣ上のＰＤＣＣＨが、多重集成されたＤＬ／ＵＬ  ＣＣの一つにＰＤＳＣＨ又はＰＵＳＣＨリソースを割り当てる場合、ＣＩＦが設定される。この場合、ＬＴＥ  Ｒｅｌｅａｓｅ−８のＤＣＩフォーマットをＣＩＦによって拡張することができる。このとき、設定されたＣＩＦは、３ビットフィールドとして固定したり、設定されたＣＩＦの位置は、ＤＣＩフォーマットの大きさにかかわらずに固定することができる。また、ＬＴＥ  Ｒｅｌｅａｓｅ−８のＰＤＣＣＨ構造（同一コーディング及び同一ＣＣＥベースのリソースマッピング）を再使用することもできる。
【０１０２】
一方、ＤＬ  ＣＣ上のＰＤＣＣＨが、同一ＤＬ  ＣＣ上のＰＤＳＣＨリソースを割り当てたり、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同一のＰＤＣＣＨ構造（同一コーディング及び同じＣＣＥベースのリソースマッピング）及びＤＣＩフォーマットを使用することができる。
【０１０３】
クロスキャリアスケジューリングが可能なとき、端末は、ＣＣ別送信モード及び／又は帯域幅によって、モニタリングＣＣの制御領域で複数のＤＣＩに対するＰＤＣＣＨをモニタリングする必要がある。したがって、これを支援し得る検索空間の構成とＰＤＣＣＨモニタリングが必要である。
【０１０４】
キャリア併合システムにおいて、端末ＤＬ  ＣＣ集合は、端末がＰＤＳＣＨを受信するようにスケジュールされたＤＬ  ＣＣの集合を表し、端末ＵＬ  ＣＣ集合は、端末がＰＵＳＣＨを送信するようにスケジュールされたＵＬ  ＣＣの集合を表す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を表す。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合のＤＬ  ＣＣのうち少なくとも一つを含むことができる。又は、ＰＤＣＣＨモニタリング集合は、端末ＤＬ  ＣＣ集合に関係なく別個として定義されるようにしてもよい。ＰＤＣＣＨモニタリング集合に含まれるＤＬ  ＣＣは、リンクされたＵＬ  ＣＣに対する自己−スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０１０５】
クロスキャリアスケジューリングが非活性化されたということは、ＰＤＣＣＨモニタリング集合が常に端末ＤＬ  ＣＣ集合と同一であることを意味し、このような場合には、ＰＤＣＣＨモニタリング集合に対する別のシグナリングのような指示が不要である。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジューリングするために基地局はＰＤＣＣＨモニタリング集合でのみＰＤＣＣＨを送信する。
【０１０６】
図６は、本発明の実施例で用いられるクロスキャリアスケジューリングによるＬＴＥ−Ａシステムのサブフレーム構造を示す図である。
【０１０７】
図６を参照すると、ＬＴＥ−Ａ端末のためのＤＬサブフレームは、３個の下りリンクコンポーネントキャリア（ＤＬ  ＣＣ）が結合されており、ＤＬ  ＣＣ’Ａ’は、ＰＤＣＣＨモニタリングＤＬ  ＣＣと設定されている。ＣＩＦが用いられない場合、各ＤＬ  ＣＣは、ＣＩＦ無しで、自身のＰＤＳＣＨをスケジューリングするＰＤＣＣＨを送信することができる。一方、ＣＩＦが上位層シグナリングによって用いられる場合には、一つのＤＬ  ＣＣ’Ａ’のみが、ＣＩＦを用いて、自身のＰＤＳＣＨ又は他のＣＣのＰＤＳＣＨをスケジューリングするＰＤＣＣＨを送信することができる。このとき、ＰＤＣＣＨモニタリングＤＬ  ＣＣとして設定されていないＤＬ  ＣＣ’Ｂ’と’Ｃ’はＰＤＣＣＨを送信しない。
【０１０８】
３．  共用制御チャネル及び放送チャネルの割り当て方法
３．１  初期接続過程
初期接続過程は、セル探索過程、システム情報取得過程及び任意接続過程（Ｒａｎｄｏｍ  Ａｃｃｅｓｓ  Ｐｒｏｃｅｄｕｒｅ）で構成することができる。
【０１０９】
図７は、ＬＴＥ／ＬＴＥ−Ａシステムで用いられる初期接続過程の一例を示す図である。
【０１１０】
端末は、基地局から送信される同期信号（例えば、１次同期信号（ＰＳＳ：Ｐｒｉｍａｒｙ  Ｓｙｎｃｈｒｏｎｉｚａｔｉｏｎ  Ｓｉｇｎａｌ）及び２次同期信号（ＳＳＳ：Ｓｅｃｏｎｄａｒｙ  Ｓｙｎｃｈｒｏｎｉｚａｔｉｏｎ  Ｓｉｇｎａｌ））を受信することによって下りリンク同期情報を取得することができる。同期信号は毎フレーム（１０ｍｓ単位）ごとに２回ずつ送信される。すなわち、同期信号は５ｍｓごとに送信される（Ｓ７１０）。
【０１１１】
Ｓ７１０段階で取得される下りリンク同期情報には、物理セル識別子（ＰＣＩＤ：Ｐｈｙｓｉｃａｌ  Ｃｅｌｌ  ＩＤ）、下りリンク時間及び周波数同期、及びサイクリックプレフィックス（ＣＰ：Ｃｙｃｌｉｃ  Ｐｒｅｆｉｘ）長情報などを含むことができる。
【０１１２】
その後、端末は、物理放送チャネル（ＰＢＣＨ：Ｐｈｙｓｉｃａｌ  Ｂｒｏａｄｃａｓｔ  Ｃｈａｎｎｅｌ）で送信されるＰＢＣＨ信号を受信する。このとき、ＰＢＣＨ信号は、４フレーム（すなわち、４０ｍｓ）において異なるスクランブリングシーケンスで４回反復して送信される（Ｓ７２０）。
【０１１３】
ＰＢＣＨ信号には、システム情報の一つとしてＭＩＢ（Ｍａｓｔｅｒ  Ｉｎｆｏｒｍａｔｉｏｎ  Ｂｌｏｃｋ）が含まれる。１つのＭＩＢは総２４ビットのサイズを有し、そのうちの１４ビットは物理ＨＡＲＱ指示チャネル（ＰＨＩＣＨ）設定情報、下りリンクセル帯域幅（ｄｌ−ｂａｎｄｗｉｄｔｈ）情報、システムフレーム番号（ＳＦＮ：Ｓｙｓｔｅｍ  Ｆｒａｍｅ  Ｎｕｍｂｅｒ）を示すために用いられる。残りの１０ビットは、余分のビットとして構成される。
【０１１４】
その後、端末は、基地局から送信されるそれぞれ異なるシステム情報ブロック（ＳＩＢ：Ｓｙｓｔｅｍ  Ｉｎｆｏｒｍａｔｉｏｎ  Ｂｌｏｃｋ）を受信することによって、残りのシステム情報を取得することができる。これらのＳＩＢはＤＬ−ＳＣＨ上で送信され、ＳＩＢの存在するか否かは、ＳＩ−ＲＮＴＩ（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｔｉｅｓ）でマスクされたＰＤＣＣＨ信号から確認される（Ｓ７３０）。
【０１１５】
ＳＩＢのうち、システム情報ブロックタイプ１（ＳＩＢ１）は、該当セルがセル選択に適したセルであるかを決定する上で必要なパラメータ及び他のＳＩＢに対する時間軸上のスケジューリングに関する情報を含む。システム情報ブロックタイプ２（ＳＩＢ２）は、共用チャネル（Ｃｏｍｍｏｎ  Ｃｈａｎｎｅｌ）情報及び共有チャネル（Ｓｈａｒｅｄ  Ｃｈａｎｎｅｌ）情報を含む。ＳＩＢ３乃至ＳＩＢ８は、セル再選択関連情報、セル外周波数（Ｉｎｔｅｒ−Ｆｒｅｑｕｅｎｃｙ）、セル内周波数（Ｉｎｔｒａ−Ｆｒｅｑｕｅｎｃｙ）などの情報を含む。ＳＩＢ９はホーム基地局（ＨｅＮＢ：Ｈｏｍｅ  ｅＮｏｄｅＢ）の名前を伝達するために用いられ、ＳＩＢ１０−ＳＩＢ１２は、地震及び津波警告サービス（ＥＴＷＳ：Ｅａｒｔｈｑｕａｋｅ  ａｎｄ  Ｔｓｕｎａｍｉ  Ｗａｒｎｉｎｇ  Ｓｅｒｖｉｃｅ）通知及び災難警告システム（ＣＭＡＳ：Ｃｏｍｍｅｒｃｉａｌ  Ｍｏｂｉｌｅ  Ａｌｅｒｔ  Ｓｙｓｔｅｍ）警告メッセージを含む。ＳＩＢ１３は、ＭＢＭＳ関連制御情報を含む。
【０１１６】
端末は、Ｓ７１０段階乃至Ｓ７３０段階を行うことで任意接続過程を行うことができる。特に、端末は、上述したＳＩＢのうちＳＩＢ２を受信すると、ＰＲＡＣＨ（Ｐｈｙｓｉｃａｌ  Ｒａｎｄｏｍ  Ａｃｃｅｓｓ  Ｃｈａｎｎｅｌ）信号を送信するためのパラメータを取得することができる。したがって、端末は、ＳＩＢ２に含まれたパラメータを用いてＰＲＡＣＨ信号を生成及び送信することによって、基地局と任意接続過程を行うことができる（Ｓ７４０）。
【０１１７】
３．２  物理放送チャネル（ＰＢＣＨ：Ｐｈｙｓｉｃａｌ  Ｂｒｏａｄｃａｓｔ  Ｃｈａｎｎｅｌ）
ＬＴＥ／ＬＴＥ−ＡシステムではＭＩＢ送信のためにＰＢＣＨを用いる。以下ではＰＢＣＨを構成する方法について説明する。
【０１１８】
ビットブロック
【０１１９】
【化６−１】
0006320511.tif 000009
【０１２０】
は、変調前にセル特定シーケンスとスクランブルされ、スクランブルされたビットブロック
【０１２１】
【化６−２】
0006320511.tif 000010
【０１２２】
として算出される。ここで、
【０１２３】
【化６−３】
0006320511.tif 000011
【０１２４】
は、ＰＢＣＨ上で送信されるビットの数を意味し、一般ＣＰ（ｎｏｒｍａｌ  ｃｙｃｌｉｃ  ｐｒｅｆｉｘ）に対しては１９２０ビットが用いられ、拡張ＣＰ（ｅｘｔｅｎｄｅｄ  ｃｙｃｌｉｃ  ｐｒｅｆｉｘ）に対しては１７２８ビットが用いられる。
【０１２５】
次の式１には、ビットブロックをスクランブルする方法の一例を示す。
【０１２６】
【数１】
0006320511.tif 000012
【０１２７】
式１で、
【０１２８】
【化７】
0006320511.tif 000013
【０１２９】
は、スクランブリングシーケンスを表す。スクランブリングシーケンスは、
【０１３０】
【化８】
0006320511.tif 000014
【０１３１】
を満たす各無線フレームで
【０１３２】
【化９】
0006320511.tif 000015
【０１３３】
と共に初期化される。
【０１３４】
スクランブルされたビットのブロック
【０１３５】
【化１０】
0006320511.tif 000016
【０１３６】
は変調されて複素値変調シンボルブロック
【０１３７】
【化１１】
0006320511.tif 000017
【０１３８】
として算出される。このとき、物理放送チャネルに対して適用可能な変調方式はＱＰＳＫ（ｑｕａｄｒａｔｕｒｅ  ｐｈａｓｅ  ｓｈｉｆｔ  ｋｅｙｉｎｇ）である。
【０１３９】
変調シンボルブロック
【０１４０】
【化１２】
0006320511.tif 000018
【０１４１】
は、一つ以上のレイヤ（ｌａｙｅｒｓ）にマップされる。ここで、
【０１４２】
【化１３】
0006320511.tif 000019
【０１４３】
である。その後、変調シンボルブロックはプリコーディングされてベクトルブロック
【０１４４】
【化１４】
0006320511.tif 000020
【０１４５】
として算出される。ここで、
【０１４６】
【化１５】
0006320511.tif 000021
【０１４７】
である。また、
【０１４８】
【化１６】
0006320511.tif 000022
【０１４９】
は、アンテナポートｐに対する信号を表し、
【０１５０】
【化１７】
0006320511.tif 000023
【０１５１】
である。ｐは、セル特定参照信号に対するアンテナポートの番号を表す。
【０１５２】
各アンテナポートに対する複素値シンボルブロック
【０１５３】
【化１８】
0006320511.tif 000024
【０１５４】
を満たす無線フレームから始まって４個の連続した無線フレームで送信される。また、複素値シンボルブロックは、参照信号の送信のために予約されたリソース要素以外のリソース要素（ｋ，ｌ）に対してインデックスｋの一番目から昇順でマップされ、続いて、サブフレーム０のスロット１のインデックスｌにマップされ、最後に無線フレーム番号にマップされる。リソース要素インデックスは、次の式２のように与えられる。
【０１５５】
【数２】
0006320511.tif 000025
【０１５６】
参照信号のためのリソース要素は、マッピングから除外される。マッピング動作は、実際の構成にかかわらず、アンテナポート０〜３に対するセル特定参照信号があると仮定する。端末は、参照信号が予約されていると仮定されたが、参照信号の送信に用いられないリソース要素を、ＰＤＳＣＨ送信のために使用不可能なものと仮定する。端末は、このようなリソース要素に対する他のいかなる仮定もしない。
【０１５７】
３．３  ＭＩＢ（Ｍａｓｔｅｒ  Ｉｎｆｏｒｍａｔｉｏｎ  Ｂｌｏｃｋ）
ＭＩＢは、ＰＢＣＨで送信されるシステム情報である。すなわち、ＭＩＢは、ＢＣＨを介して送信されるシステム情報を含む。ＭＩＢに対してはシグナリング無線ベアラーが適用されず、ＲＬＣ−ＳＡＰ（Ｒａｄｉｏ  Ｌｉｎｋ  Ｃｏｎｔｒｏｌ−Ｓｅｒｖｉｃｅ  Ａｃｃｅｓｓ  Ｐｏｉｎｔ）はＴＭ（Ｔｒａｎｓｐａｒｅｎｔ  Ｍｏｄｅ）であり、論理チャネルはＢＣＣＨ（Ｂｒｏａｄｃａｓｔ  Ｃｏｎｔｒｏｌ  Ｃｈａｎｎｅｌ）であり、Ｅ−ＵＴＲＡＮからＵＥに送信される。次の表２に、ＭＩＢフォーマットの一例を示す。
【０１５８】
【表２】
0006320511.tif 000026
【０１５９】
ＭＩＢには、下りリンク帯域幅（ｄｌ−Ｂａｎｄｗｉｄｔｈ）パラメータ、ＰＨＩＣＨ設定（ＰＨＩＣＨ−Ｃｏｎｆｉｇ）パラメータ、システムフレーム番号（ｓｙｓｔｅｍＦｒａｍｅＮｕｍｂｅｒ）パラメータ、及び余分のビットが含まれる。
【０１６０】
下りリンク帯域幅パラメータは、１６個の異なる送信帯域幅構成（ＮＲＢ）を示す。例えば、ｎ６は６リソースブロックに対応し、ｎ１５は１５リソースブロックに対応する。ＰＨＩＣＨ設定パラメータは、ＤＬ−ＳＣＨの受信に必要なＰＤＣＣＨ上の制御信号を受信するために必要なＰＨＩＣＨ設定を示す。システムフレーム番号（ＳＦＮ）パラメータは、ＳＦＮの最上位（ＭＳＢ）の８ビットを定義する。このとき、ＳＦＮの最下位の２ビットはＰＢＣＨのデコーディングから間接的に取得される。例えば、ＰＢＣＨ  ＴＴＩの４０ｍｓタイミングはＬＳＢ  ２ビットを指示することができる。これについては図８を用いて詳しく説明する。
【０１６１】
図８は、放送チャネル信号を送信する方法の一例を示す図である。
【０１６２】
図８を参照すると、論理チャネルであるＢＣＣＨを介して送信されたＭＩＢは、伝送チャネルであるＢＣＨを介して伝達される。このとき、ＭＩＢは伝送ブロックにマップされ、ＭＩＢ伝送ブロックにＣＲＣが付加され、チャネルコーディング及びレートマッチングの後、物理チャネルであるＰＢＣＨに伝達される。その後、ＭＩＢは、スクランブリング、変調過程、レイヤマッピング及びプリコーディング過程を経てリソース要素（ＲＥ）にマップされる。すなわち、４０ｍｓ周期（すなわち、４フレーム）において同一のＰＢＣＨ信号が異なるスクランブリングシーケンスでスクランブルされて送信される。したがって、端末は、ブラインドデコーディングによって４０ｍｓにおけ一つのＰＢＣＨを検出でき、これを用いてＳＦＮの残り２ビットを推定することができる。
【０１６３】
例えば、４０ｍｓのＰＢＣＨ  ＴＴＩにおいて、ＰＢＣＨ信号が最初の無線フレームで送信されると、ＳＦＮのＬＳＢは‘００’に設定され、二番目の無線フレームで送信されると、ＬＳＢは‘０１’に設定され、三番目の無線フレームで送信されると、ＬＳＢは‘１０’に設定され、最後の無線フレームで送信されると、ＬＳＢは‘１１’に設定されてもよい。
【０１６４】
また、図８を参照すると、ＰＢＣＨは、各フレームの最初のサブフレーム（ｓｕｂｆｒａｍｅ  ＃０）の第二のスロット（ｓｌｏｔ  ＃１）の先頭の４  ＯＦＤＭシンボルにおいて中央の７２個の副搬送波に割り当てられてもよい。このとき、ＰＢＣＨの割り当てられる副搬送波領域は、セル帯域幅によらず、常に、中央における７２個の副搬送波領域である。これは、端末が下りリンクセル帯域幅のサイズを知っていない場合にもＰＢＣＨを検出できるようにするためである。
【０１６５】
また、１次同期信号（ＰＳＳ）の送信される１次同期チャネル（ＰＳＣ：Ｐｒｉｍａｒｙ  Ｓｙｎｃｈｒｏｎｉｚａｔｉｏｎ  Ｃｈａｎｎｅｌ）は、５ｍｓのＴＴＩを有し、各フレームにおいてサブフレーム＃０及び＃５の第一のスロット（ｓｌｏｔ  ＃０）の最後のシンボルに割り当てられる。２次同期信号（ＳＳＳ）の送信される２次同期チャネル（ＳＳＣ：Ｓｅｃｏｎｄａｒｙ  Ｓｙｎｃｈｒｏｎｉｚａｔｉｏｎ  Ｃｈａｎｎｅｌ）は、５ｍｓのＴＴＩを有し、同一スロットの最後から２番目のシンボル（すなわち、ＰＳＳ直前のシンボル）に割り当てられる。また、ＰＳＣ及びＳＳＣは、セル帯域幅によらず、常に、中央における７２個の副搬送波を占有し、６２個の副搬送波に割り当てられる。
【０１６６】
３．５  制御チャネル領域及び放送チャネル領域の割り当て方法
一方、超高周波無線通信システムやスモールセル環境では、セルカバレッジ（ｃｅｌｌ  ｃｏｖｅｒａｇｅ）の小さい環境が構築される。超高周波無線通信システムでは、伝搬特性上、経路損失（ｐａｔｈ  ｌｏｓｓ）が既存のセルラー帯域の経路損失よりも大きいからである。このため、超高周波無線通信環境では既存のセルラーシステムに比べてセルカバレッジが小さい特性を有する。したがって、超高周波帯域を用いるスモールセル環境で端末が受信する信号のＳＮＲは相対的に大きい値を有しうる。このため、基地局がＰＢＣＨを送信する場合、相対的に小さい堅固性（ｒｏｂｕｓｔｎｅｓｓ）が要求されてもよい。
【０１６７】
ＬＴＥ／ＬＴＥ−Ａシステム（例えば、ＬＴＥ  Ｒｅｌ−８／９／１０）においてＰＢＣＨ領域は常に、固定された周波数位置に割り当てられる。しかし、これは、隣接セル間干渉として作用しうるという短所がある。また、ＳＩＢはＰＤＳＣＨで送信されるが、ＳＩＢ  ２〜ＳＩＢ  １３に関するスケジューリング情報を含むＳＩＢ  １は、時間領域において毎フレームの５番目のサブフレームで送信されるため、時間領域で制限を有する。
【０１６８】
ＬＴＥ／ＬＴＥ−Ａシステムでは、ページング（ｐａｇｉｎｇ）、ＳＩＢ、任意接続応答（ＲＡＲ：Ｒａｎｄｏｍ  Ａｃｃｅｓｓ  Ｒｅｓｐｏｎｓｅ）の送信のために用いられるＰＤＳＣＨのＤＬグラント（ＤＬ  Ｇｒａｎｔ）の送信のために、共用サーチスペース（ＣＳＳ：Ｃｏｍｍｏｎ  Ｓｅａｒｃｈ  Ｓｐａｃｅ）でＰＤＣＣＨ信号が送信される。また、上りリンク電力制御メッセージ送信のためにもＣＳＳでＰＤＣＣＨ信号が送信される。
【０１６９】
ただし、最近では、より一層効率的で且つ堅牢な送信のために、ＰＤＣＣＨをデータチャネルであるＰＤＳＣＨを介して送信するｅ−ＰＤＣＣＨが議論されている。ＵＥ特定サーチスペース（ＵＳＳ：ＵＥ−ｓｐｅｃｉｆｉｃ  Ｓｅａｒｃｈ  Ｓｐａｃｅ）だけでなくＣＳＳで送信されるＰＤＣＣＨ信号の送信も、ｅ−ＰＤＣＣＨで送信する技法が論議されている。このため、端末はＰＤＳＣＨ領域で送信される制御チャネル信号を復号するために、ブラインドデコーディング（ＢＤ：Ｂｌｉｎｄｅ  Ｄｅｃｏｄｉｎｇ）を行うことができる。
【０１７０】
本発明の実施例では、ＰＢＣＨ又は制御チャネルの割り当て及び制御信号の送信を、セル間に干渉が回避されるとともに、データチャネル領域と互換されるように設定する方法を提供する。また、これによって、端末にとってＰＢＣＨ及び共用制御チャネルが送信される領域を容易に取得できる方法を提供する。本発明の実施例は、既存のＴＤＭでＰＤＣＣＨを送信する方式ではなく、ＣＳＳ、ＵＳＳ両方ともＰＤＳＣＨ領域に割り当てるｅ−ＰＤＣＣＨ送信方式に関する。
【０１７１】
３．５．１  サブフレーム構造
図９は、制御チャネル及び／又は放送チャネルが割り当てられたフレーム構造を示す図である。
【０１７２】
図９（ａ）は、ＰＤＳＣＨ領域に共用制御チャネル（ｃｏｍｍｏｎ  ｃｏｎｔｒｏｌ  ｃｈａｎｎｅｌ）が割り当てられるサブフレーム構造の一つを示す図である。すなわち、図９（ａ）には、データチャネルに共用サーチスペース（ＣＳＳ）が割り当てられる場合のサブフレーム構造を示す。
【０１７３】
図９（ｂ）は、当該ＣＳＳで当該サブフレーム内の周波数領域における先頭からｎ個のＯＦＤＭシンボルにＰＢＣＨ領域が割り当てられる場合のサブフレーム構造を示す。図９（ｂ）を参照すると、サブフレームにおいて一定周波数領域に共用制御チャネルを割り当てるためのＰＤＳＣＨが割り当てられ、ＰＤＳＣＨにおける最初のＯＦＤＭシンボルからｎ番目のＯＦＤＭシンボルまでにＰＢＣＨ領域が割り当てられている。ここで、共用制御チャネルは、ＣＳＳで送信される制御チャネルを意味する。ただし、共用制御チャネルには、ＵＳＳで送信される制御チャネルも設定されてもよい。
【０１７４】
図９（ｃ）は、共用制御チャネルが周波数領域において分散した（ｄｉｓｔｒｉｂｕｔｅｄ）形態で割り当てられるサブフレーム構造の一例を示す。すなわち、図９（ｃ）には、図９（ａ）で説明した共用制御チャネルが周波数軸上でデータチャネルと交互に割り当てられる例を示す。
【０１７５】
図９（ｄ）は、図９（ｂ）で説明したＰＢＣＨ領域及び共用制御チャネルが、分散した形態で割り当てられるサブフレーム構造を示す。すなわち、周波数軸上でＰＢＣＨ領域及び共用制御チャネルがデータチャネルと交互に割り当てられる例を示す。
【０１７６】
図９（ａ）乃至図９（ｄ）で説明したＰＢＣＨ及び／又は共用制御チャネルは、物理セル識別子（ＰＣＩＤ）と連動して割り当てられてもよい。既存のＬＴＥ／ＬＴＥ−Ａシステムでは、いかなるセルも、各帯域幅によらず常に、中心周波数において６ＲＢサイズでＰＢＣＨなどが割り当てられるため、各セルのＰＢＣＨは隣接セルのＰＢＣＨに干渉として作用しうる。しかし、本発明のようにＰＢＣＨ領域がＰＣＩＤと連動して割り当てられる場合には、セルごとにＰＢＣＨ領域の割り当て位置が異なるため、互いに干渉として作用しなくて済む。
【０１７７】
３．５．２  制御チャネル検出方法−１
図９（ａ）又は図９（ｂ）のような形態でＰＢＣＨ及び／又は共用制御チャネルが割り当てられる場合、端末が当該ＰＢＣＨ及び／又は共用制御チャネル領域を検出できるようにしなければならない。以下、端末がＰＢＣＨ及び／又は共用制御チャネルを検出する様々な方法について説明する。
【０１７８】
端末は、物理セル識別子（ＰＣＩＤ：Ｐｈｙｓｉｃａｌ  Ｃｅｌｌ  ＩＤ）に基づいてＰＢＣＨ及び／又は共用制御チャネル領域を検出することができる。ＰＣＩＤを
【０１７９】
【化１９】
0006320511.tif 000027
【０１８０】
と定義し、
【０１８１】
【化２０】
0006320511.tif 000028
【０１８２】
は、当該サブフレームの下りリンクリソースブロックの個数を表し、
【０１８３】
【化２１】
0006320511.tif 000029
【０１８４】
は、１個のＲＢに存在するサブキャリアの個数を意味する。
【０１８５】
このとき、ＰＢＣＨ又は共用制御チャネルが割り当てられる領域を、次の式３又は式４のように決めることができる。
【０１８６】
【数３】
0006320511.tif 000030
【０１８７】
【数４】
0006320511.tif 000031
【０１８８】
式３及び式４で、ｋは、ＰＢＣＨ又は共用制御チャネルが割り当てられるサブキャリアのインデックスを表す。すなわち、ｋがＰＢＣＨの割り当て領域に対するサブキャリアインデックスを表す場合、ＰＢＣＨは、当該サブフレームの最初のＯＦＤＭシンボルからｎ  ＯＦＤＭシンボルまでの区間において、サブキャリアインデックスｋが示すサブキャリアから所定のサブキャリアの領域に割り当てられる。したがって、端末は、サブキャリアインデックスｋが示すサブキャリア領域からブラインドデコーディングを行い、自身に割り当てられたＰＢＣＨ及び／又は共用制御チャネルを検出することができる。
【０１８９】
本発明の実施例では、ＰＣＩＤに基づいて、ＰＢＣＨ又は共用制御チャネルの送信される周波数領域を決定することができる。
【０１９０】
本発明の実施例では、物理セル識別子（ＰＣＩＤ）と連動してＰＢＣＨ領域が割り当てられるため、セル別にＰＢＣＨ割り当て領域を変更することができる。これによって、ＰＢＣＨ信号送信によるセル別干渉を減らすことができる。
【０１９１】
３．５．３  制御チャネル検出方法−２
図９（ｃ）又は図９（ｄ）のような形態でＰＢＣＨ及び／又は共用制御チャネルが割り当てられる場合、端末がＰＢＣＨ及び／又は共用制御チャネルを検出する様々な方法について説明する。
【０１９２】
３．５．１節のように、ＰＣＩＤに基づいて、送信される制御チャネル領域を決めることができる。しかし、制御チャネル割り当ての自由度を高めるために又は周波数ダイバーシティを得るために、共用制御チャネルが割り当てられる領域又はＰＢＣＨが割り当てられる領域を図９（ｃ）又は図９（ｄ）のように割り当てることができる。
【０１９３】
この場合、ＰＢＣＨ及び／又は共用制御チャネルが割り当てられる領域は、所定の候補群を有することができる。ＰＢＣＨ及び／又は共用制御チャネルが分散形態で割り当てられる場合、ＰＢＣＨ又は共用制御チャネルが割り当てられる領域を、次の式５のように決めることができる。
【０１９４】
【数５】
0006320511.tif 000032
【０１９５】
したがって、式５によって、端末は、ｎ個のサブキャリアインデックスｋｎが示す候補群からブラインドデコーディングによってＰＢＣＨ及び／又は共用制御チャネルを検出することができる。
【０１９６】
図９（ｃ）又は図９（ｄ）のように分散方式でＰＢＣＨ及び／又は共用制御チャネルが割り当てられる場合、それぞれのチャネル領域の大きさや候補群の個数（ｎ）は、システムパラメータと定義することができる。また、端末は、ネットワーク接続時に、チャネル領域の大きさや個数に関する情報を取得したり、又は既に設定された値として知っていてもよい。
【０１９７】
３．５．４  制御チャネル検出方法−３
３．５．２節又は３．５．３節のようにＰＢＣＨ及び／又は共用制御チャネルが割り当てられるサブキャリアインデックスだけでは、端末は該当の制御領域を明確に把握できない。この場合、端末がブラインドデコーディングによって検出すべきサーチスペースが過度に増加しうる。そこで、以下では、ＰＢＣＨ及び／又は共用制御チャネルが割り当てられる全体区間の大きさを端末に明示的に知らせる方法について説明する。
【０１９８】
例えば、ＰＢＣＨ及び／又は共用制御チャネルが割り当てられる領域は、固定された形態で構成されてもよい。すなわち、ＰＢＣＨ及び／又は共用制御チャネルに対する全体区間の大きさ情報をシステムパラメータとして設定することができる。
【０１９９】
既存のＬＴＥ／ＬＴＥ−Ａシステムでは、ＰＢＣＨ領域が中心周波数（ｃｅｎｔｅｒ  ｆｒｅｑｕｅｎｃｙ）を基準に６ＲＢに割り当てられる。本発明の実施例で、ＰＢＣＨに対してＬＴＥ／ＬＴＥ−Ａシステムと同じチャネルコーディング方式及びＣＲＣパリティビット（ｐａｒｉｔｙ  ｂｉｔ）が用いられると仮定すれば、端末は、式３乃至式５で導出したサブキャリアインデックスｋから６ＲＢに当該するリソース領域を、ＰＢＣＨ及び／又は共用制御チャネル領域として認識することができる。もちろん、これは一例に過ぎず、ＰＢＣＨ及び／又は共用制御チャネル領域の割り当てられる領域は、任意のｘ  ＲＢに設定されてもよい。
【０２００】
又は、ＰＢＣＨ及び／又は共用制御チャネル領域は、スモールセル環境によって既存の６ＲＢよりも小さいＲＢに設定されてもよい。例えば、１ＲＢ、２ＲＢ、３ＲＢ、４ＲＢ、又は５ＲＢのいずれかのサイズでＰＢＣＨ及び／又は共用制御チャネル領域が割り当てられてもよい。
【０２０１】
３．５．５  フレーム構造
３．５．１節乃至３．５．４節で説明した方法は、１サブフレーム、すなわち、毎サブフレームに適用することができる。しかし、スモールセル環境でＰＢＣＨ信号送信のために必要なデータ（すなわち、リソースブロック）の要求量が小さいという過程下で、毎サブフレームでＰＢＣＨを割り当てることはリソースの浪費であろう。すなわち、毎サブフレームごとにＰＢＣＨを割り当てる必要はない。そこで、以下では、フレーム構造内で特定サブフレームでのみＰＢＣＨ及び／又は共用制御チャネルを割り当てる方法について説明する。
【０２０２】
図１０は、１つのフレーム構造内でＰＢＣＨなどが割り当てられるサブフレームを示す図である。
【０２０３】
図１０を参照すると、ＰＢＣＨを１無線フレーム内でｍ番目のサブフレームに割り当てることができる。このとき、１無線フレームはｐ個のサブフレームの集合を意味する。例えば、３ＧＰＰ  ＬＴＥ／ＬＴＥ−Ａシステムでは、１０個のサブフレームが１個の無線フレームを構成する。
【０２０４】
また、１無線フレーム内で複数個のサブフレームにＰＢＣＨが割り当てられてもよく、このときには、ｍ１，ｍ２，…，ｍｒ番目のサブフレームでＰＢＣＨが割り当てられる。図１０には、無線フレーム内で２番目のサブフレームにＰＢＣＨが割り当てられた場合のフレーム構造を示す。
【０２０５】
３．５．６  ＰＢＣＨ信号送信方法
ＰＢＣＨ信号の堅牢な送信のために反復形態のＰＢＣＨが構成されてもよい。例えば、一定個数の無線フレーム内で割り当てられたＰＢＣＨは同一情報を有し、端末は、受信したＰＢＣＨ信号を結合して受信性能を高めることができる。
【０２０６】
図１１は、ＰＢＣＨ信号を送信する方法の一つを示す図である。
【０２０７】
３．５．５節のように無線フレーム内の特定サブフレームでＰＢＣＨが割り当てられ、ＰＢＣＨ信号の送信周期は３無線フレームと仮定することができる。すなわち、３個の無線フレームで送信されるＰＢＣＨ信号は同じ情報を含んで送信される。しかし、本発明の実施例で、ＰＢＣＨ信号が反復形態で送信されるという意味は、ＰＢＣＨで送信される情報が同一であること意味する。すなわち、各ＰＢＣＨ信号に対するスクランブリングコード、ビットインターリービング、ＣＲＣパリティビット、チャネルコーディング方式などは異なってもよい。
【０２０８】
３．５．７  ＰＢＣＨ検出方法
図１２は、ＰＢＣＨ検出方法の一例を示す図である。
【０２０９】
基地局（ｅＮＢ）は、ＰＢＣＨ及び／又は共用制御チャネル領域を割り当てることができる（Ｓ１２１０）。
【０２１０】
Ｓ１２１０段階でＰＢＣＨ及び／又は共用制御チャネル領域の割り当て方法は、上述した３．５．１節、３．５．５節、及び／又は３．５．６節などで説明した方法を用いることができる。
【０２１１】
基地局は、同期信号（すなわち、ＰＳＳ／ＳＳＳ）を放送し、端末は、受信した同期信号を用いて当該セルのＰＣＩＤを取得することができる（Ｓ１２２０，Ｓ１２３０）。
【０２１２】
端末はＰＣＩＤを用いて３．５．２節乃至３．５．４節で説明した方法によって、制御領域を示すサブキャリアインデックスｋを算出することができる。このとき、サブキャリアインデックスｋを制御領域インデックスと呼ぶことができる（Ｓ１２４０）。
【０２１３】
その後、端末は、サブキャリアインデックスｋが示すサブキャリアからブラインドデコーディング（ＢＤ）によってＰＢＣＨ及び／又は共用制御チャネル領域を検出でき、検出したＰＢＣＨ及び／又は共用制御チャネルでＰＢＣＨ信号及び／又は制御信号などを受信することができる（Ｓ１２５０）。
【０２１４】
仮に、ＰＢＣＨ領域が所定の大きさを有するシステムパラメータとしてあらかじめ決定されている場合には、端末はＳ１２５０段階でＢＤを行わず、サブキャリアインデックスｋが示すサブキャリアから始めて所定の領域をデコーティングし、ＰＢＣＨ信号及び／又は制御信号を受信することができる。
【０２１５】
図１２では、ＰＢＣＨの割り当て及びＰＢＣＨ信号の送信方法についてのみ説明した。しかし、図１２で説明した方法をそのまま、共用制御チャネルの割り当て及び共用制御チャネルを介した制御信号の送信にも同様に適用することができる。
【０２１６】
４．  具現装置
図１３に説明する装置は、図１乃至図１２で説明した方法を具現できる手段である。
【０２１７】
端末（ＵＥ：Ｕｓｅｒ  Ｅｑｕｉｐｍｅｎｔ）は、上りリンクでは送信端として動作し、下りリンクでは受信端として動作することができる。また、基地局（ｅＮＢ：ｅ−Ｎｏｄｅ  Ｂ）は、上りリンクでは受信端として動作し、下りリンクでは送信端として動作することができる。
【０２１８】
すなわち、端末及び基地局は、情報、データ及び／又はメッセージの送信及び受信を制御するためにそれぞれ送信モジュール（Ｔｘ  ｍｏｄｕｌｅ）１３４０，１３５０、及び受信モジュール（Ｒｘ  ｍｏｄｕｌｅ）１３２０，１３７０を備えることができ、情報、データ及び／又はメッセージを送受信するためのアンテナ１３００，１３１０などを備えることができる。
【０２１９】
また、端末及び基地局はそれぞれ、上述した本発明の実施例を行うためのプロセッサ（Ｐｒｏｃｅｓｓｏｒ）１３２０，１３３０、及びプロセッサの処理過程を臨時的に又は持続的に記憶できるメモリ１３８０，１３９０を備えることができる。
【０２２０】
上述した端末及び基地局装置の構成成分及び機能を用いて本願発明の実施例を実行することができる。例えば、基地局のプロセッサは、上述した１節乃至３節に開示された方法を組み合わせて、ＰＢＣＨを割り当て及び送信することができる。端末のプロセッサは、受信した同期信号に基づいてＰＣＩＤを導出し、ＰＣＩＤを用いて、ＰＢＣＨの割り当てられた領域を示すサブキャリアインデックスｋを算出し、ＰＢＣＨ信号を受信することができる。これらの動作については、図９乃至図１２で説明した方法を参照されたい。
【０２２１】
端末及び基地局に含まれた送信モジュール及び受信モジュールは、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図１３の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。ここで、送信モジュール及び受信モジュールは、それぞれ、送信器及び受信器と呼ぶことができ、併せて用いられる場合にはトランシーバーと呼ぶこともできる。
【０２２２】
一方、本発明で端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０２２３】
ここで、スマートフォンは、移動通信端末機と個人携帯端末機の長所を組み合わせた端末機であって、移動通信端末機に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡ（登録商標）システムなど）でも作動できる端末機のことを指す。
【０２２４】
本発明の実施例は、様々な手段によって具現することができる。例えば、本発明の実施例は、ハードウェア、ファームウェア（ｆｉｒｍｗａｒｅ）、ソフトウェア又はそれらの結合などによって具現することができる。
【０２２５】
ハードウェアによる具現の場合、本発明の実施例に係る方法は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２２６】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット１３８０，１３９０に記憶され、プロセッサ１３２０，１３３０によって駆動されてもよい。メモリユニットは、プロセッサの内部又は外部に設けられ、公知の種々の手段によってプロセッサとデータをやり取りすることができる。
【０２２７】
本発明は、本発明の精神及び必須特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０２２８】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムだけでなく、これら様々な無線接続システムを応用したいずれの技術分野にも適用可能である。
【図１】
0006320511.tif 000033
【図２】
0006320511.tif 000034
【図３】
0006320511.tif 000035
【図４】
0006320511.tif 000036
【図５】
0006320511.tif 000037
【図６】
0006320511.tif 000038
【図７】
0006320511.tif 000039
【図８】
0006320511.tif 000040
【図９】
0006320511.tif 000041
【図１０】
0006320511.tif 000042
【図１１】
0006320511.tif 000043
【図１２】
0006320511.tif 000044
【図１３】
0006320511.tif 000045